(57)【特許請求の範囲】
【請求項１】
機器筐体に対してねじを用いて第１の部品を固定した後、前記機器筐体に対して第２の部品を装着する部品取付構造であって、
前記機器筐体側のねじ穴に対して前記ねじが所望の締付状態まで締め付けられていない場合には、前記ねじが前記第２の部品に干渉することで該第２の部品の装着が規制される一方、
前記ねじ穴に対して前記ねじが所望の締付状態まで締め付けられた場合には、前記ねじが前記第２の部品に干渉せずに該第２の部品を装着可能であり、
前記ねじは、頭部と、ねじ部と、該頭部及び該ねじ部との間を繋ぐ軸部とを備え、
前記ねじは、前記機器筐体に形成されたフランジ部に前記軸部が挿通配置されると共に、該フランジ部の表面及び裏面に対して前記頭部及び前記ねじ部がそれぞれ係止されることで、該機器筐体に保持された脱落防止ねじであることを特徴とする部品取付構造。
【請求項２】
請求項１記載の部品取付構造において、
前記フランジ部の表面と前記ねじの頭部との間には、前記ねじが前記ねじ穴に対して締め付けられていない状態で該ねじを前記ねじ穴から離間する方向へと移動させる弾性体が介在していることを特徴とする部品取付構造。
【請求項３】
請求項１又は２記載の部品取付構造において、
前記機器筐体は、前記フランジ部を有して前記ねじを保持する第１の筐体部と、該第１の筐体部との間に隙間を介して配置されると共に前記ねじ穴を有する第２の筐体部とを備え、
前記第１の部品は、前記第１の筐体部と前記第２の筐体部との間の隙間に挿入可能なブラケットを有し、該ブラケットには前記ねじのねじ部を挿通可能な取付孔が設けられていることを特徴とする部品取付構造。
【請求項４】
機器筐体に対してねじを用いて第１の部品を固定した後、前記機器筐体に対して第２の部品を装着する部品取付構造であって、
前記機器筐体側のねじ穴に対して前記ねじが所望の締付状態まで締め付けられていない場合には、前記ねじが前記第２の部品に干渉することで該第２の部品の装着が規制される一方、
前記ねじ穴に対して前記ねじが所望の締付状態まで締め付けられた場合には、前記ねじが前記第２の部品に干渉せずに該第２の部品を装着可能であり、
前記第２の部品は、前記機器筐体に対して前記ねじの上部でスライドさせて装着する蓋体であることを特徴とする部品取付構造。
【請求項５】
請求項４記載の部品取付構造において、
前記蓋体は、前記ねじ穴に対して前記ねじが所望の締付状態まで締め付けられていない状態でスライドさせた場合に前記ねじと当接するストッパ部を有することを特徴とする部品取付構造。
【請求項６】
請求項１〜３のいずれか１項に記載の部品取付構造において、
前記第２の部品は、前記機器筐体に対して前記ねじの上方から置いて装着する蓋体であることを特徴とする部品取付構造。
【請求項７】
請求項１〜６のいずれか１項に記載の部品取付構造を備えることを特徴とする電子機器。
【請求項８】
請求項７記載の電子機器において、
前記機器筐体には、複数の電子部品が搭載され、
前記第１の部品は、前記機器筐体に着脱可能な機器ユニット又は電子部品であり、
前記第２の部品は、前記機器筐体の一面を覆う蓋体であることを特徴とする電子機器。
【請求項９】
請求項８記載の電子機器において、
当該電子機器は、携帯用情報機器であり、
機器ユニットは、前記電子機器筐体の側面に開口した装着スロットに対して着脱されることを特徴とする電子機器。
【発明の詳細な説明】
【技術分野】
【０００１】
本発明は、携帯用情報機器等の機器筐体に対して複数の部品を取り付ける部品取付構造及び該部品取付構造を備える電子機器に関する。
【背景技術】
【０００２】
ノートブック型のパーソナルコンピュータ（ノート型ＰＣ）やデスクトップ型のパーソナルコンピュータ（デスクトップ型ＰＣ）等の電子機器では、機器筐体の内部に設けられたメモリ等の電子部品やＯＤＤ装置（光学ディスクドライブ装置）等の機器ユニットをユーザ自身で交換することがある（例えば、特許文献１参照）。
【先行技術文献】
【特許文献】
【０００３】
【特許文献１】特開２００５−２０３９１号公報
【発明の概要】
【発明が解決しようとする課題】
【０００４】
ところが、上記のようにユーザ自身が電子部品や機器ユニット等の部品を機器筐体に対して着脱する場合には、固定用のねじを締め忘れてしまう懸念がある。これら部品の固定が不十分であると、電子機器の持ち運び時や運転時に電子部品や機器ユニットが機器筐体から脱落し、或いは機器筐体内でがたつきを生じるといった問題を発生する。
【０００５】
特に、機器筐体に対して電子部品や機器ユニットを装着した後、その上に筐体カバー等を装着する構成の場合には、ねじの締め忘れに気付かずに上記問題を発生してしまう可能性が一層高いものとなる。
【０００６】
本発明は、上記従来技術の課題を考慮してなされたものであり、機器筐体に対して複数の部品を取り付ける場合での誤装着を防止することができる部品取付構造及び該部品取付構造を備える電子機器を提供することを目的とする。
【課題を解決するための手段】
【０００７】
本発明に係る部品取付構造は、機器筐体に対してねじを用いて第１の部品を固定した後、前記機器筐体に対して第２の部品を装着する部品取付構造であって、前記機器筐体側のねじ穴に対して前記ねじが所望の締付状態まで締め付けられていない場合には、前記ねじが前記第２の部品に干渉することで該第２の部品の装着が規制される一方、前記ねじ穴に対して前記ねじが所望の締付状態まで締め付けられた場合には、前記ねじが前記第２の部品に干渉せずに該第２の部品を装着可能であることを特徴とする。
【０００８】
このような構成によれば、先に装着する第１の部品を適正に装着しなければ、後に装着する第２の部品に対してねじが干渉し、その装着を妨害する。これにより、ねじの締め付けが不十分であり、先に装着した第１の部品の固定が適正になされないままで第２の部品が装着されてしまう誤装着を防ぎ、第１の部品が脱落し或いはがたつくことを確実に防止できる。
【０００９】
前記ねじは、頭部と、ねじ部と、該頭部及び該ねじ部との間を繋ぐ軸部とを備え、前記ねじは、前記機器筐体に形成されたフランジ部に前記軸部が挿通配置されると共に、該フランジ部の表面及び裏面に対して前記頭部及び前記ねじ部がそれぞれ係止されることで、該機器筐体に保持された脱落防止ねじであってもよい。そうすると、ねじの紛失を防止し、さらに第２の部品を取り外した状態ではねじが常に露出しているため、その締め付け忘れを一層確実に防止できる。
【００１０】
前記フランジ部の表面と前記ねじの頭部との間には、前記ねじが前記ねじ穴に対して締め付けられていない状態で該ねじを前記ねじ穴から離間する方向へと移動させる弾性体が介在しているとよい。そうすると、ねじを締め付けない状態では弾性体の付勢力によって常にねじを第２の部品側へと突出させることができるため、第２の部品に対するねじの干渉作用を一層確実に発揮させることができる。しかも、第１の部品の装着時、弾性体の付勢力によってねじをねじ穴から退避させておくことができるため、第１の部品の装着がより円滑なものとなる。
【００１１】
前記機器筐体は、前記フランジ部を有して前記ねじを保持する第１の筐体部と、該第１の筐体部との間に隙間を介して配置されると共に前記ねじ穴を有する第２の筐体部とを備え、前記第１の部品は、前記第１の筐体部と前記第２の筐体部との間の隙間に挿入可能なブラケットを有し、該ブラケットには前記ねじのねじ部を挿通可能な取付孔が設けられていてもよい。
【００１２】
前記第２の部品は、前記機器筐体に対して前記ねじの上部でスライドさせて装着する蓋体であってもよい。そうすると、ねじの締め付けが不十分な場合にねじによって蓋体のスライドを妨害することができるため、第１の部品の誤装着をユーザに確実に認識させることができる。
【００１３】
この場合、前記蓋体は、前記ねじ穴に対して前記ねじが所望の締付状態まで締め付けられていない状態でスライドさせた場合に前記ねじと当接するストッパ部を有してもよい。
【００１４】
前記第２の部品は、前記機器筐体に対して前記ねじの上方から置いて装着する蓋体であってもよい。そうすると、ねじの締め付けが不十分な場合に蓋体を所定の装着位置に載置することができなくなるため、第１の部品の誤装着をユーザに確実に認識させることができる。
【００１５】
本発明に係る電子機器は、上記構成の部品取付構造を備えることを特徴とする。これにより、電子機器の内部での部品の誤装着を防止することが可能となり、電子機器の動作が不安定となり、或いは部品が脱落することを防止できる。
【００１６】
この場合、前記機器筐体には、複数の電子部品が搭載され、前記第１の部品は、前記機器筐体に着脱可能な機器ユニット又は電子部品であり、前記第２の部品は、前記機器筐体の一面を覆う蓋体であると、機器ユニット又は電子部品に対するねじの締め付けが適正に行われない状態では蓋体の装着ができないため、機器ユニットや電子部品の誤装着を確実に防止できる。
【００１７】
当該電子機器は、携帯用情報機器であり、機器ユニットは、前記電子機器筐体の側面に開口した装着スロットに対して着脱されるものであると、装着スロットからの機器ユニットの脱落を確実に防止できる。
【発明の効果】
【００１８】
本発明によれば、先に装着する第１の部品の固定のためのねじの締め付けが適正になされないままで第２の部品が装着されてしまう誤装着を防ぎ、第１の部品が脱落し或いはがたつくことを確実に防止できる。
【図面の簡単な説明】
【００１９】
【図１】図１は、本発明の一実施形態に係る電子機器の構成を模式的に示す底面図である。
【図２】図２は、図１に示す電子機器の底面パネルを取り外し、内部構造を模式的に示す底面図である。
【図３】図３は、部品取付構造を用いてＯＤＤ装置及び底面パネルを機器筐体に装着する一手順を模式的に示す断面説明図である。
【図４】図４は、図３に示す状態からＯＤＤ装置及び底面パネルを適正に装着した状態を模式的に示す断面説明図である。
【図５】図５は、図３に示す状態からＯＤＤ装置及び底面パネルを誤って装着した状態を模式的に示す断面説明図である。
【図６】図６は、変形例に係る部品取付構造を用いた構成において、ＯＤＤ装置及び底面パネルを誤って装着した状態を模式的に示す断面説明図である。
【図７】図７は、別の変形例に係る部品取付構造を用いた構成において、ＯＤＤ装置及び底面パネルを誤って装着した状態を模式的に示す断面説明図である。
【図８】図８は、図７に示す部品取付構造を用いた構成において、ＯＤＤ装置及び底面パネルを適正に装着した状態を模式的に示す断面説明図である。
【発明を実施するための形態】
【００２０】
以下、本発明に係る部品取付構造について、この構造を備える電子機器との関係で好適な実施の形態を挙げ、添付の図面を参照しながら詳細に説明する。
【００２１】
図１は、本発明の一実施形態に係る電子機器１０の構成を模式的に示す底面図であり、図２は、図１に示す電子機器１０の底面パネル１２を取り外し、内部構造を模式的に示す底面図である。本実施形態では、電子機器１０として、携帯用情報機器であるノート型ＰＣを例示する。本発明に係る電子機器はノート型ＰＣ以外、例えばデスクトップ型ＰＣや家電製品等、各種の電気電子機器に適用可能である。
【００２２】
図１に示すように、電子機器１０は、底面の大部分が底面パネル１２で覆われる機器筐体１４と、機器筐体１４の側面に開口した装着スロット１６に対して収納可能且つ着脱可能なＯＤＤ装置（光学ディスクドライブ装置）１８とを備える。機器筐体１４の底面において底面パネル１２で覆われない部分には、バッテリ装置２０が配設されている。電子機器１０は一般的な構成からなるノート型ＰＣであり、図示はしないが、機器筐体１４の上面に設けられたキーボート装置と、機器筐体１４の後端部にヒンジを介して開閉可能に設けられたディスプレイ装置とを備える。
【００２３】
底面パネル（底面カバー）１２は、金属板又は樹脂板で形成された薄い蓋体である。図２中に２点鎖線で示すように、底面パネル１２は機器筐体１４の底面に載置してからスライドさせることで機器筐体１４への着脱が行われる。底面パネル１２を装着する際のスライド方向で先端側となる２つの隅部には、固定孔１２ａがそれぞれ形成されている。固定孔１２ａは、底面パネル１２が所定の装着位置にスライドされた際に機器筐体１４側のねじ穴２２に重なる位置に形成されている。すなわち、底面パネル１２を機器筐体１４に装着する際には、所定の装着位置までスライドさせた底面パネル１２の固定孔１２ａを通して機器筐体１４のねじ穴２２に固定ねじ２３を螺合させ、底面パネル１２を機器筐体１４に締結する。これにより、底面パネル１２が機器筐体１４に固定される。
【００２４】
図２に示すように、機器筐体１４は、その下面側に底面パネル１２が装着される第１の筐体部１４ａと、第１の筐体部１４ａの上部に配設された第２の筐体部１４ｂとを有する２層構造であり、第１の筐体部１４ａと第２の筐体部１４ｂとの間となる位置に基板１４ｃが設けられている。
【００２５】
このような機器筐体１４の内部には、ＣＰＵ（中央処理装置）２５、冷却ファン２６、ＨＤＤ装置（ハードディスクドライブ装置）２７、メモリ２８及び通信カード２９等、各種の電子部品や機器ユニットが配設されている。本実施形態の場合、これら電子部品や機器ユニットは、基板１４ｃ、第１の筐体部１４ａ又は第２の筐体部１４ｂに対し、それぞれ取付ねじ２４を用いて固定され、基板１４ｃと電気的に接続される。
【００２６】
ＯＤＤ装置１８は、装着スロット１６に挿入された状態で基板１４ｃとコネクタ接続によって電気的に接続されると共に、本実施形態に係る部品取付構造３０を用いて機器筐体１４に固定される。この部品取付構造３０は、ＯＤＤ装置１８が適正に固定された場合に限り、底面パネル１２の適正な装着を可能とするフェイルセーフ構造を有する。ＯＤＤ装置１８には、装着スロット１６への挿入先端面から突出した矩形状の金属板であるブラケット３２が設けられ、その略中央には取付孔３２ａが貫通形成されている。装着スロット１６には、ＯＤＤ装置１８との交換で図示しないＨＤＤ装置等を装着することもできる。
【００２７】
次に、本実施形態に係る部品取付構造３０の構成について説明する。
【００２８】
図３は、部品取付構造３０を用いてＯＤＤ装置１８及び底面パネル１２を機器筐体１４に装着する一手順を模式的に示す断面説明図である。図４は、図３に示す状態からＯＤＤ装置１８及び底面パネル１２を適正に装着した状態を模式的に示す断面説明図であり、図５は、図３に示す状態からＯＤＤ装置１８及び底面パネル１２を誤って装着した状態を模式的に示す断面説明図である。なお、図２から明らかなように、本実施形態に係る電子機器１０では、ＯＤＤ装置１８の装着方向と底面パネル１２のスライド方向とは互いに直交する方向に設定されているが、図３〜図５では、それぞれの装着動作の関連性を明示するため前記装着方向と前記スライド方向とを平行する方向に図示しており、後述する図６〜図８についても同様である。
【００２９】
図３に示すように、部品取付構造３０は、機器筐体１４の一方の筐体部、ここでは第１の筐体部１４ａに保持された脱落防止ねじ３４と、底面パネル１２に設けられたストッパ凹部３６とを備える。
【００３０】
脱落防止ねじ（キャプチャねじ）３４は、図示しないドライバ等で締め付けるための操作部となる頭部３４ａと、雄ねじが形成されたねじ部３４ｂと、頭部３４ａとねじ部３４ｂとの間を繋ぐ軸部３４ｃとを備える。ねじ部３４ｂは軸部３４ｃの先端側に設けられている。
【００３１】
脱落防止ねじ３４を保持する第１の筐体部１４ａには、円形の凹部３８と、凹部３８の底部となるフランジ部４０とが形成されている。フランジ部４０には、脱落防止ねじ３４の軸部３４ｃが軸方向に移動可能な状態で挿通される保持孔４０ａが形成されている。また、第２の筐体部１４ｂには、脱落防止ねじ３４のねじ部３４ｂを締付可能な雌ねじが形成されたねじ穴４２が設けられている。図３から明らかなように、ねじ穴４２の開口縁部と第１の筐体部１４ａとの間には、ＯＤＤ装置１８のブラケット３２を挿入可能な隙間Ｇが設けられている。ねじ穴４２は、保持孔４０ａと同軸上に形成されている。
【００３２】
脱落防止ねじ３４は、軸部３４ｃが保持孔４０ａに挿通され、頭部３４ａ及びねじ部３４ｂがそれぞれフランジ部４０の上面（表面）及び下面（裏面）に係止されることで第１の筐体部１４ａからの脱落が防止されている。本実施形態の場合、フランジ部４０の上面と頭部３４ａとの間の軸部３４ｃには、コイルばね（弾性体）４４が外挿されている。コイルばね４４により、脱落防止ねじ３４は頭部３４ａが図３中で凹部３８の上方へと突出する方向（ねじ穴４２から離間する方向）へと常時付勢されている。また、フランジ部４０の上面には、遊動ワッシャ４６が配設されている。遊動ワッシャ４６は、保持孔４０ａより小径の孔部によって軸部３４ｃに対して外挿されており、コイルばね４４の下端を抜け止め保持している。
【００３３】
フランジ部４０の下面側には、脱落防止ねじ３４のねじ部３４ｂを収納可能な収納凹部４８が形成されている。図３に示すように、脱落防止ねじ３４がコイルばね４４の付勢力によって最も上動した位置ではねじ部３４ｂが収納凹部４８に完全に収納される。これにより、第１の筐体部１４ａと第２の筐体部１４ｂとの間にブラケット３２を挿入可能な隙間Ｇを形成することができる。
【００３４】
ストッパ凹部３６は、底面パネル１２の内面（機器筐体１４の内部に配置される面）に形成されている。ストッパ凹部３６は、底面パネル１２を機器筐体１４に装着する際のスライド方向（図３〜図５では右側）で後方側となる面が脱落防止ねじ３４に干渉するストッパ面（ストッパ部）３６ａとして機能する。
【００３５】
次に、部品取付構造３０を用いてＯＤＤ装置１８及び底面パネル１２を機器筐体１４に取り付ける手順について説明する。
【００３６】
図２に示すように、部品取付構造３０では、底面パネル１２を取り外した状態でＯＤＤ装置１８を機器筐体１４に装着し、その後に底面パネル１２を装着する。
【００３７】
先ず、装着スロット１６に対してＯＤＤ装置１８を所定の収納位置まで挿入する。そうすると、図３に示すように、ブラケット３２が第１の筐体部１４ａと第２の筐体部１４ｂとの間の隙間Ｇに挿入配置される。なお、通常は脱落防止ねじ３４を締め付けた後に底面パネル１２を機器筐体１４の底面（図３では上面）に配置する手順となるが、図３では、この時点での底面パネル１２の固定孔１２ａと機器筐体１４のねじ穴２２との位置関係を明示するため底面パネル１２についても図示している。
【００３８】
続いて、脱落防止ねじ３４をコイルばね４４の付勢力に抗して進動させて第２の筐体部１４ｂのねじ穴４２に螺合させ、図４に示すように、脱落防止ねじ３４を所望の締付状態まで締め付ける。そうすると、図４に示すように、コイルばね４４が頭部３４ａと遊動ワッシャ４６（フランジ部４０）との間で圧縮され、脱落防止ねじ３４は頭部３４ａが第１の筐体部１４ａの凹部３８に完全に埋没した位置となる。これにより、ＯＤＤ装置１８の機器筐体１４への装着作業が完了する。
【００３９】
次に、底面パネル１２を機器筐体１４上での所定のスライド開始位置（図３に示す位置。図２に２点鎖線で示す底面パネル１２も参照）に載置し、装着方向へとスライドさせる。なお、このスライド開始位置では、底面パネル１２の固定孔１２ａは機器筐体１４のねじ穴２２から外れた位置にある（図３参照）。
【００４０】
そして、底面パネル１２のスライドが完了すると、図４に示すように、固定孔１２ａが機器筐体１４のねじ穴２２に重なる位置となる。そこで、固定孔１２ａを通して固定ねじ２３をねじ穴２２に締め付けることにより、底面パネル１２が機器筐体１４に適正に固定され、その装着作業が完了する。
【００４１】
このような装着作業において、ＯＤＤ装置１８を装着スロット１６の所定の収納位置まで挿入した後、脱落防止ねじ３４のねじ穴４２に対する締め付けを忘れた場合又は締め付けが適正でない場合には、図５に示すように、脱落防止ねじ３４はコイルばね４４の付勢力によって機器筐体１４の凹部３８から突出した状態にある。
【００４２】
この状態で底面パネル１２を機器筐体１４に対してスライド開始位置に載置すると、ストッパ凹部３６に脱落防止ねじ３４の頭部３４ａが挿入された状態となる。その後スライドさせた場合には、図５に示すように底面パネル１２のストッパ面３６ａが頭部３４ａに当接し、それ以上のスライドが規制される。この状態では、底面パネル１２の固定孔１２ａは機器筐体１４のねじ穴２２から外れた位置にある。このため、固定ねじ２３を締め付けることができず、底面パネル１２の装着を適正に完了することができない。
【００４３】
従って、ユーザは、ＯＤＤ装置１８の装着に誤りがあったことを確実に認識することができるため、底面パネル１２を逆方向にスライドさせて一旦取り外し、脱落防止ねじ３４を適正に締め付けた後、再び底面パネル１２を装着する。これにより、ＯＤＤ装置１８を固定するための脱落防止ねじ３４の締め付けが完了していない状態で底面パネル１２の装着が完了することを防止できるため、ＯＤＤ装置１８及び底面パネル１２を図４に示すような適正な状態で確実に装着することが可能となる。
【００４４】
図６は、変形例に係る部品取付構造５０を用いた構成において、ＯＤＤ装置１８及び底面パネル１２を誤って装着した状態を模式的に示す断面説明図である。
【００４５】
この部品取付構造５０の場合、底面パネル１２の内面には、ストッパ凹部３６に代えて、ストッパ面３６ａを有する突起５２が設けられている。従って、部品取付構造５０においても、脱落防止ねじ３４が適正に締め付けられていない状態で底面パネル１２の装着作業を行うと、図６に示すように突起５２のストッパ面３６ａが脱落防止ねじ３４の頭部３４ａに当接し、そのスライドが規制される。これにより、ＯＤＤ装置１８を固定するための脱落防止ねじ３４の締め付けが完了していない状態で底面パネル１２の装着が完了することを防止できるため、ＯＤＤ装置１８及び底面パネル１２を図４と同様な適正な状態で装着することができる。
【００４６】
図７は、別の変形例に係る部品取付構造６０を用いた構成において、ＯＤＤ装置１８及び底面パネル６２を誤って装着した状態を模式的に示す断面説明図であり、図８は、図７に示す部品取付構造６０を用いた構成において、ＯＤＤ装置１８及び底面パネル１２を適正に装着した状態を模式的に示す断面説明図である。
【００４７】
この部品取付構造６０は、上記した部品取付構造３０，５０のように、スライドして装着する方式の底面パネル１２ではなく、機器筐体１４の底面の上に置いた後、スライドさせずにそのまま固定ねじ２３で固定する方式の底面パネル６２を用いた構成に特に有効に用いられる。
【００４８】
図７に示すように、部品取付構造６０における脱落防止ねじ３４は、ねじ部３４ｂをねじ穴４２に螺合させず、ねじ部３４ｂをねじ穴４２の開口縁部に当接させた状態で、頭部３４ａが機器筐体１４の凹部３８から突出する寸法に設定されている。また、底面パネル６２は、その内面にストッパ凹部３６や突起５２は設けられていない。
【００４９】
従って、部品取付構造６０では、図７に示すように、脱落防止ねじ３４の締め付けが完了していない状態で底面パネル６２の装着作業を行うと、脱落防止ねじ３４はコイルばね４４の付勢力に抗して底面パネル６２によってある程度は押下される。ところが、ねじ部３４ｂがねじ穴４２の開口縁部に当接した時点で脱落防止ねじ３４のそれ以上の押下が規制される。
【００５０】
この状態であっても、底面パネル６２の固定孔１２ａは機器筐体１４のねじ穴２２と重なる位置にある。ところが、この部品取付構造６０では、この状態では固定ねじ２３はそのねじ部がねじ穴２２に十分に届かず、適正に締め付けることができない全長寸法に設定されている。このため、底面パネル６２の適正な装着を完了することができない。
【００５１】
従って、ユーザは、ＯＤＤ装置１８の装着に誤りがあったことを認識することができるため、底面パネル１２を一旦持ち上げて取り外し、図８に示すように脱落防止ねじ３４を適正に締め付けた後、再び底面パネル６２を装着することで、固定ねじ２３をねじ穴２２に適正に締め付けることができる。これにより、ＯＤＤ装置１８を固定するための脱落防止ねじ３４の締め付けが完了していない状態で底面パネル６２の装着が完了することを防止できるため、ＯＤＤ装置１８及び底面パネル６２を図８に示すような適正な状態で確実に装着することが可能となる。
【００５２】
なお、この部品取付構造６０の場合には、図８中に２点鎖線で示すように、底面パネル６２の内面に突起６４を設けておいてもよい。突起６４は、脱落防止ねじ３４が適正に締め付けられた状態で機器筐体１４の凹部３８に挿入可能な形状であり、底面パネル６２の装着を邪魔しない。この突起６４を設けると、図７に示すように脱落防止ねじ３４が適正に締め付けられていない状態で底面パネル６２を装着しようとした際、突起６４が脱落防止ねじ３４の頭部３４ａに当接する。このため、底面パネル６２の位置が図７の状態よりも機器筐体１４から離れた位置となる。そのため、底面パネル６２の装着状態がより不自然に感じられ、また固定ねじ２３のねじ穴２３への締め付けも一層困難なものとなるため、ユーザは、ＯＤＤ装置１８の装着に誤りがあったことを一層容易に認識することができる。
【００５３】
また、上記したように、部品取付構造６０における脱落防止ねじ３４は、ねじ部３４ｂをねじ穴４２に螺合させず、ねじ部３４ｂをねじ穴４２の開口縁部に当接させた状態で、頭部３４ａが機器筐体１４の凹部３８から突出する寸法に設定している。このため、このような寸法に脱落防止ねじ３４を設定しておくと、コイルばね４４の有無に関わらず脱落防止ねじ３４による底面パネル６２の干渉機能は発揮できるため、コイルばね４４を省略することもできる。同様に、図３〜図６に示す部品取付構造３０，５０についても脱落防止ねじ３４の寸法を部品取付構造６０の場合と同様に設定しておくことにより、コイルばね４４の省略が可能となる。
【００５４】
以上のように、本実施形態に係る部品取付構造３０（５０，６０）は、機器筐体１４に対して脱落防止ねじ３４を用いて第１の部品となるＯＤＤ装置１８を固定した後、機器筐体１４に対して第２の部品となる底面パネル１２（６２）を装着する構造であり、機器筐体１４側のねじ穴４２に対して脱落防止ねじ３４が所望の締付状態まで締め付けられていない場合には、脱落防止ねじ３４が底面パネル１２に干渉することで該底面パネル１２の装着が規制される一方、ねじ穴４２に対して脱落防止ねじ３４が所望の締付状態まで締め付けられた場合には、脱落防止ねじ３４が底面パネル１２に干渉せずに該底面パネル１２を装着可能である。
【００５５】
従って、当該部品取付構造３０（５０，６０）によれば、先に装着するＯＤＤ装置１８を適正に装着しなければ、脱落防止ねじ３４が後に装着する底面パネル１２（６２）に干渉し、その装着を妨害する。これにより、脱落防止ねじ３４の締め付けが不十分であり、先に装着したＯＤＤ装置１８の固定が適正になされないままで上から底面パネル１２が装着されてしまう誤装着を防ぎ、ＯＤＤ装置１８が脱落し或いはがたつくことを確実に防止できる。特に、本実施形態に係る電子機器１０では、底面パネル１２（６２）を装着するとＯＤＤ装置１８を固定する脱落防止ねじ３４の状態を外部から視認できなくなるため、当該部品取付構造３０（５０，６０）を用いることで各部品の誤った取り付けを未然に防ぎ、使用時の故障等の発生を防止できる。
【００５６】
脱落防止ねじ３４は、機器筐体１４に形成されたフランジ部４０に軸部３４ｃが挿通配置されると共に、該フランジ部４０の表面及び裏面に対して頭部３４ａ及びねじ部３４ｂがそれぞれ係止されることで該機器筐体１４に保持されている。すなわち、脱落防止ねじ３４の代わりに脱落防止構造のないねじを用いた場合、ＯＤＤ装置１８の固定時に機器筐体１４内に落としてしまったりすることがある。この点、本実施形態では脱落防止ねじ３４を用いているため、ねじの紛失を防止し、さらに底面パネル１２を取り外した状態では脱落防止ねじ３４が常に露出しているため、その締め忘れを一層確実に防止できる。
【００５７】
本実施形態の場合、フランジ部４０の表面と脱落防止ねじ３４の頭部３４ａとの間には、脱落防止ねじ３４がねじ穴４２に対して締め付けられていない状態で該脱落防止ねじ３４をねじ穴４２から離間する方向へと移動させる弾性体であるコイルばね４４が介在している。このため、脱落防止ねじ３４を締め付けない状態ではコイルばね４４の付勢力によって常に脱落防止ねじ３４が底面パネル１２側へと突出するため、底面パネル１２に対する干渉作用を一層確実に発揮させることができる。しかも、ＯＤＤ装置１８の装着時、コイルばね４４の付勢力によって脱落防止ねじ３４が第１の筐体部１４ａと第２の筐体部１４ｂとの間の隙間Ｇから退避しているため、ＯＤＤ装置１８の装着が円滑なものとなる。
【００５８】
なお、本発明は、上記した実施形態に限定されるものではなく、本発明の主旨を逸脱しない範囲で自由に変更できることは勿論である。
【００５９】
例えば、上記実施形態では、部品取付構造３０（５０，６０）をＯＤＤ装置１８と底面パネル１２（６２）の装着時のフェイルセーフ機能として用いた構成を例示したが、部品取付構造は他の部品に対しても適用できる。例えば、図２に示す電子機器１０の場合、部品取付構造３０（５０，６０）を、ＣＰＵ２５、冷却ファン２６、ＨＤＤ装置２７、メモリ２８及び通信カード２９の装着用として適用し、これら各部品を適正に取り付けていない場合には、その上から底面パネル１２（６２）又は他の部品を適正に装着することができないように構成してもよい。この場合、これら各部品の固定用である取付ねじ２４に代えて脱落防止ねじ３４を用いるとよい。
【符号の説明】
【００６０】
１０  電子機器
１２，６２  底面パネル
１２ａ  固定孔
１４  機器筐体
１４ａ  第１の筐体部
１４ｂ  第２の筐体部
１４ｃ  基板
１６  装着スロット
１８  ＯＤＤ装置
２２，４２  ねじ穴
２３  固定ねじ
２４  取付ねじ
２５  ＣＰＵ
２６  冷却ファン
２７  ＨＤＤ装置
２８  メモリ
２９  通信カード
３０，５０，６０  部品取付構造
３２  ブラケット
３２ａ  取付孔
３４  脱落防止ねじ
３４ａ  頭部
３４ｂ  ねじ部
３４ｃ  軸部
３６  ストッパ凹部
３６ａ  ストッパ面
３８  凹部
４０  フランジ部
４０ａ  保持孔
４４  コイルばね
４６  遊動ワッシャ
４８  収納凹部
５２，６４  突起
【図１】
0005977785.tif 000002
【図２】
0005977785.tif 000003
【図３】
0005977785.tif 000004
【図４】
0005977785.tif 000005
【図５】
0005977785.tif 000006
【図６】
0005977785.tif 000007
【図７】
0005977785.tif 000008
【図８】
0005977785.tif 000009